(57)【特許請求の範囲】
【請求項１】
一方の桟と他方の桟とを備え、一方の桟および他方の桟は、上壁と底壁と両側壁により中空部を形成してあり、一方の桟は、他方の桟との交差部に、他方の桟の桟幅に相当する範囲内で長手方向に間隔をあけて複数の切欠部が設けてあり、切欠部の間に両側壁と底壁とからなる変形部が形成してあり、他方の桟は、一方の桟との交差部に、一方の桟の変形部を挿入する挿入孔を有し、変形部は、底壁の一部を切り起こして他方の桟を押圧する押圧部を有していると共に両側壁の内周側に薄肉部を有し、変形部の両側壁は、押圧部が他方の桟の底壁を押圧したときに、外周側に変形して他方の桟の長手方向に張り出し、他方の桟の上壁に係止していることを特徴とする格子。
【発明の詳細な説明】
【技術分野】
【０００１】
本発明は、玄関引戸やドア、嵌め殺し窓等、框に取り付けるものや、あるいはフェンス等に使用する格子に関するものである。
【背景技術】
【０００２】
引戸やドア、嵌め殺し窓等には、框枠内周の室内側にガラスを嵌め込みすると共に、室外側に格子を取付けるものがあり、その他に格子は、例えば敷地の境界に設置するフェンス等に幅広く適用するものであった。特許文献１には、格子を組むときに、交差する一方の桟と他方の桟の交差部において、一方の桟の対向面に他方の桟の桟幅に相当する範囲に二箇以上の切欠部を設けてその中間部を変形部とし、他方の桟の変形部と対接する部分を切除し、その内側対向面に空条を突出して変形部を押圧する押圧部を形成したものが示されている。しなしながら一方の桟に変形部が設けてあり、変形部を押圧する押圧部が他方の桟に設けてあるため、押圧部が変形部のどの箇所を押圧するのかが定まっておらず、これにより、一方の桟と他方の桟をプレスするごとに変形部に対する押圧力の伝わる状態が不規則なものとなることから、加工面での不都合があった。
【特許文献１】実用新案登録第２５３９４８４号
【発明の開示】
【発明が解決しようとする課題】
【０００３】
本発明は以上に述べたような実情に鑑み、材料費を抑えて軽量化を図ることができると共に、加工性が良好な格子を提供することにある。
【課題を解決するための手段】
【０００４】
本発明は、一方の桟と他方の桟とを備え、一方の桟および他方の桟は、上壁と底壁と両側壁により中空部を形成してあり、一方の桟は、他方の桟との交差部に、他方の桟の桟幅に相当する範囲内で長手方向に間隔をあけて複数の切欠部が設けてあり、切欠部の間に両側壁と底壁とからなる変形部が形成してあり、他方の桟は、一方の桟との交差部に、一方の桟の変形部を挿入する挿入孔を有し、変形部は、底壁の一部を切り起こして他方の桟を押圧する押圧部を有していると共に両側壁の内周側に薄肉部を有し、変形部の両側壁は、押圧部が他方の桟の底壁を押圧したときに、外周側に変形して他方の桟の長手方向に張り出し、他方の桟の上壁に係止していることを特徴とする。
【発明の効果】
【０００５】
本発明によれば、一方の桟の変形部を他方の桟の挿入孔に挿入してプレスしたときに、変形部の底壁を切り起こして形成した押圧部が他方の桟の底壁に最初に当接して変形部の両側壁に荷重が加わる。このとき、押圧部に受ける押圧力が両側壁に伝わって変形部の薄肉部に応力が集中し、他方の桟の中空部にて変形部の両側壁が外周側に変形し、例えば半円弧状、あるいは、くの字状に他方の桟の長手方向に張り出す。このことから、押圧部を有していることで変形部の両側壁に押圧力が確実に伝わると共に、薄肉部を有することで変形部の両側壁が変形しやすくなり、従って、小さな押圧力でプレスすることができて変形部も確実に変形することから加工性が良好なものとなる。一方の桟は、他方の桟との交差部の二箇所に切欠部を設けてその残留部分で変形部を形成してあり、変形部の両側壁に薄肉部を設けてあると共に変形部の底壁の一部を切り起こして押圧部を設けてあり、他方の桟は上壁を貫通した挿入孔を有するものであるから、材料費の抑制および製品の軽量化に貢献できる。
【発明を実施するための最良の形態】
【０００６】
以下、本発明の格子の実施形態を図面に基づいて説明する。
図１（ａ）（ｂ）（ｃ）は、一方の桟と他方の桟の交差部を拡大して本発明の格子の製造工程を示す縦断面図であり、図２（ａ）は、一方の桟と他方の桟の斜視図であり、（ｂ）は、一方の桟の変形部を底面視して示す斜視図であり、図３（ａ）は、本発明の格子を適用した玄関引戸の正面図であり、（ｂ）は、（ａ）の横断面図であり、図４（ａ）（ｂ）（ｃ）は、一方の桟と他方の桟の交差部を拡大して本発明の格子の製造工程の他の実施形態を示す縦断面図である。
【０００７】
本実施形態による格子は、図３（ａ）のように、例として玄関引戸に適用する格子について説明するものであり、上框２０と下框２２と左右縦框２１ａ、２１ｂにより枠組みした框枠の内周側に格子取付具２３で取り付けてあり、格子は、図３（ｂ）のように、交差する多数の一方の桟１と他方の桟２により形成してある。
【０００８】
一方の桟１と他方の桟２の構成について図２（ａ）（ｂ）に基づいて説明する。
一方の桟１および他方の桟２は、図２（ａ）のように、上壁３と底壁４と両側壁５ａ、５ｂにより中空部Ｓａを有する断面矩形状をなす中空押出形材である。このうち一方の桟１は、図２（ｂ）のように、底壁４の一方の桟１の伸びる方向に間隔をあけた二箇所に、底壁４から両側壁５ａ、５ｂのほぼ中間部まで連続した切欠部６ａ、６ｂが設けてあり、二箇所の切欠部６ａ、６ｂの間には、両側壁７ａ、７ｂと底壁７ｃとからなる変形部７を有している。変形部７の両側壁７ａ、７ｂの内周側には、他方の桟２の長手方向と同一方向に伸びる溝状の肉盗みが設けてあり、これにより両側壁７ａ、７ｂに薄肉部１０ａ、１０ｂを形成している。変形部７の底壁７ｃの四隅位置には、他方の桟２の底壁１３に向けて切り起こした押圧部９が各々設けてあり、押圧部９は、一方の桟１の上壁３をプレスしたときに他方の桟２の底壁１３に最初に当接して底壁１３を押圧する。
他方の桟２は、一方の桟１との交差部に変形部７を挿入する挿入孔８を上壁１２に有しており、挿入孔８は、他方の桟２の中空部Ｓｂに連通していると共に、変形部７の底壁７ｃとほぼ一致する矩形状に開口している。
【０００９】
一方の桟１と他方の桟２をプレスして格子を形成する工程の流れについて、図１（ａ）（ｂ）（ｃ）に基づいて以下に説明する。
第１の工程として、図１（ａ）のように、一方の桟１の変形部７を他方の桟２の挿入孔８に挿入する。このとき、一方の桟１の変形部７の底壁７ｃを切り起こした押圧部９を他方の桟２の底壁１３に当接する。第２の工程として、図１（ｂ）のように、一方の桟１の上壁３に上方からプレス機により荷重をかける。このとき、押圧部９が他方の桟２の底壁１３を垂直方向下向きに押圧する。第３の工程として、図１（ｃ）のように、押圧部９からの押圧力が変形部７の両側壁７ａ、７ｂに伝わって薄肉部１０ａ、１０ｂの内周側に応力が集中する。これにより、変形部７の両側壁７ａ、７ｂの外周側が変形して他方の桟２の長手方向に張り出し、他方の桟２の上壁１２に係止する。このとき押圧部９は、他方の桟２の底壁１３からの押圧力により、切り起こしてある状態から底壁７ｃとほぼ水平となるように倒れていく。
以上の第１〜３までの工程を経ることにより格子を形成する。
【００１０】
図４（ａ）（ｂ）（ｃ）に示すものは、本発明の格子の他の実施形態であり、変形部７の両側壁７ａ、７ｂの内周側の底壁７ｃ寄りの箇所に段状の薄肉部１０ａ、１０ｂを有している。本実施形態であっても図４（ａ）のように、一方の桟１の変形部７を他方の桟２の挿入孔８に挿入し、一方の桟１の上壁３にプレス機により荷重をかける（図４（ｂ）参照）と、図４（ｃ）のように、薄肉部１０ａ、１０ｂの内周側に応力が集中して両側壁７ａ、７ｂの外周側が変形し、その変形した両側壁７ａ、７ｂが他方の桟２の長手方向に張り出して他方の桟２の上壁１２に係止する。本実施形態では玄関引戸の格子として適用するものを挙げたが、その他例えば、ドアや嵌め殺し窓、フェンス等、様々なものに適用できる。薄肉部１０ａ、１０ｂは、変形部７の両側壁７ａ、７ｂの内周側の一部の肉厚を薄く形成して、プレスしたときの荷重による変形部７の両側壁７ａ、７ｂの外周側の変形を助けるものであればよいから、両側壁７ａ、７ｂを肉盗みする形状や大きさを特定するものではない。押圧部９は、本実施形態のような四隅位置を切り起こすものに限らず、例えば変形部７の底壁７ｃの桟幅側の両側端縁を全長にわたり切り起こしたり、あるいは、四隅以外の箇所を切り起こしてもよいが、少なくとも底壁７ｃの四隅位置を含んだ箇所を切り起こしてあれば、変形部７の両側壁７ａ、７ｂに近い位置に押圧部９を有することになり、押圧部９からの押圧力が変形部７の両側壁７ａ、７ｂにより確実に伝わりやすくなる。変形部７の変形の程度については、他方の桟２の中空部Ｓｂの底の深さにより適宜調整するものであり、変形部７の外周側に変形した両側壁７ａ、７ｂが他方の桟２の上壁１２に係止するものであればよい。具体的に、他方の桟２の中空部Ｓｂの底が比較的深いときには、前述した図１（ａ）（ｂ）（ｃ）や図４（ａ）（ｂ）（ｃ）に示すような湾曲状・くの字状に変形するものであってもよいし、中空部Ｓｂの底が比較的浅いものであれば、外周側に折れ曲がった両側壁７ａ、７ｂが上下に完全に潰れたものであってもよい。ただ、変形した変形部７の底壁７ｃと他方の桟２の底壁１３との隙間があまりに大きいと、一方の桟１と他方の桟２のガタツキが大きくなるので、一方の桟１の変形部７の両側壁７ａ、７ｂの外周側が他方の桟２の上壁１２に係止するときには、変形部７の底壁７ｃも他方の桟２の底壁１３に当接していることが望ましい。切欠部６ａ、６ｂは、本実施形態では二箇所に設けてあるが、二箇所以上の複数の箇所に設けてあってもよく、この場合であっても、切欠部６ａ、６ｂの間に複数の変形部７を形成すると共に、材料費の一層の削減に寄与できる。
【図面の簡単な説明】
【００１１】
【図１】（ａ）（ｂ）（ｃ）は、一方の桟と他方の桟の交差部を拡大して本発明の格子の製造工程を説明する縦断面図である。
【図２】（ａ）は、一方の桟と他方の桟の斜視図であり、（ｂ）は、一方の桟の変形部を底面視して示す斜視図である。
【図３】（ａ）は、本発明の格子を適用した玄関引戸の正面図であり、（ｂ）は、（ａ）の横断面図である。
【図４】（ａ）（ｂ）（ｃ）は、一方の桟と他方の桟の交差部を拡大して本発明の格子の製造工程の他の実施形態を説明する縦断面図である。
【符号の説明】
【００１２】
１  一方の桟
２  他方の桟
３  一方の桟の上壁
４  一方の桟の底壁
５ａ、５ｂ  一方の桟の両側壁
６ａ、６ｂ  切欠部
７  変形部
７ａ、７ｂ  変形部の両側壁
７ｃ  変形部の底壁
８  挿入孔
９  押圧部
１０ａ、１０ｂ  薄肉部
１２  他方の桟の上壁
１３  他方の桟の底壁
Ｓａ、Ｓｂ  中空部
【図１】
0004770800.tif 000002
【図２】
0004770800.tif 000003
【図３】
0004770800.tif 000004
【図４】
0004770800.tif 000005